【手続補正書】
【提出日】平成28年2月3日(2016.2.3)
【手続補正１】
【補正対象書類名】明細書
【補正対象項目名】００１９
【補正方法】変更
【補正の内容】
【００１９】
ステップ６：閉ループ補正。
ステップ３−５は、平均色収差において、前記色収差が所定値より小さくなるまで、または、リバウンドの発生まで、色変換テーブルに上で閉ループ補正を実行するために繰り返される。補正の間に、目標色との一貫性を保つために、リバウンドした色収差を有しているポイントは、補正されない、即ち、補正値は、方程式３を使用して計算される。他の色に対して、補正は、ステップ４のスキームにしたがって実行される。
【数９】
2016507926.tif 000001
【手続補正２】
【補正対象書類名】明細書
【補正対象項目名】００２１
【補正方法】変更
【補正の内容】
【００２１】
さらに、多次元ルックアップ・テーブルに基づいた色変換のためにループ色補正を実行するための前記モジュールは、色目標パターンを形成するために、サンプル・ポイントを抽出するための色目標パターン生成装置であって、該目標パターンの上の該サンプル・ポイントは、データ収集と計算のために使用される。入力として、ステップ１の前記色目標パターンおける色値を使用し、目標色彩データとして、目標特性ルックアップ・テーブルからデバイス非依存出力データを読み出すための目標色彩データ収集ユニットであって、該目標色彩データは、国際照明委員会により規定されたＬ＊ａ＊ｂ＊値を使用する、目標色彩データ収集ユニットと、ステップ１で生成された色目標パターンを印刷し、次に、測定データを得るために、測定器具を用いて前記色目標パターンにおける色ブロックを測定するための測定データ収集装置であって、該測定データは、各々の色ブロックのＬ＊ａ＊ｂ＊値である、測定データ収集装置と、前記測定データと前記目標データとの間での色差の程度を計算し、該色差にしたがって目標データを補正するための初期補正ユニットと、
１）目標特性ルックアップ・テーブルを再生成：
前記目標パターンの上の色値および対応する補正データを使用して、目標特性ルックアップ・テーブルを再生成し、前記特徴ルックアップ・テーブルは、また、多次元テーブルであり、また、双方向マッピング・ルックアップ・テーブルである、
２）色変換テーブルを再生成：
前記入力マトリクスＩｎのポイントは、前記デバイス特性ルックアップ・テーブルを使用して変換され、そして、対応する出力マトリクスＯｕｔのポイントは、前記目標特性ルックアップ・テーブルを使用して読み出され、前記色変換テーブルが再生成される、ための色変換テーブル再生成ユニットと、平均色収差において、前記色収差が所定値より小さくなるまで、または、リバウンドの発生まで、前記色変換テーブルでの閉ループ補正を実行するための閉ループ補正ユニットと、色目標パターン生成装置と、を備える。
【手続補正３】
【補正対象書類名】明細書
【補正対象項目名】００３６
【補正方法】変更
【補正の内容】
【００３６】
本願発明の実施形態において、多次元テーブル・ベースの閉ループ色補正システムが、提供される。これは、多次元ルックアップ・テーブルに基づいた色変換のループ色補正を実行するためのモジュール６０１を備える。ここで、マッピング関係が、色変換における多次元ルックアップ・テーブルを用いて、入力ポイントのセットと出力ポイントのセットとの間で確立される。多次元ルックアップ・テーブルに基づいた色変換のためのループ色補正を実行するモジュール６０１は、色目標パターンを形成するために、サンプル・ポイントを抽出するための色目標パターン生成ユニット６０２であって、目標パターンの上のサンプル・ポイントは、データ収集と計算のために使用される、色目標パターン生成ユニット６０２と、入力としてステップ１の色目標パターンの色値を使用して、デバイス独立出力データを、目標色彩データとして、目標特性ルックアップ・テーブルから読み出すための目標色彩データ収集装置６０３であって、国際照明委員会により規定されたＬ＊ａ＊ｂ＊値が、目標色彩データとして使われる、目標色彩データ収集装置６０３と、ステップ１で生成された色目標パターンを印刷し、次に、測定データを得るために、測定器具を用いて前記色目標パターンにおける色ブロックを測定するための測定データ収集装置６０４であって、測定値は、各々の色ブロックのＬ＊ａ＊ｂ＊値である、測定データ収集装置６０４と、測定データと目標データとの間での色差の程度を計算し、その色差にしたがって目標データを補正するための初期補正ユニット６０５と、
１）目標特性ルックアップ・テーブルを再生成する、前記目標パターンの上の色値および対応する補正データを使用して、目標特性ルックアップ・テーブルが、再生成され、前記特性ルックアップ・テーブルは、また、多次元テーブルであり、また、双方向マッピング・ルックアップ・テーブルである、
２）色変換テーブルを再生成する、入力マトリクスＩｎのポイントは、デバイス特性ルックアップ・テーブルを使用して変換され、そして、対応する出力マトリクスＯｕｔのポイントは、目標特性ルックアップ・テーブルを使用して読み出され、色変換テーブルを再生させる、ための色変換テーブル再生成ユニット６０６と、平均色収差において、前記色収差が所定値より小さくなるまで、または、リバウンドの発生まで、色変換テーブルでの閉ループ補正を実行するための閉ループ補正ユニット６０５と、のユニットを備える。当業者は、本願発明で記述される方法とシステムは、ここに記述される実施形態に限られるものではないことを理解すべきである。上の記載は、単に、本願発明を説明することを目的とするものであり、また、本願発明を制限するものではない。本願発明の技術的なソリューションにしたがって、当業者によってなすことができる他のインプリメンテーションは、また、本願発明の範囲に含まれるものであり、そして、本願発明の範囲は、特許請求の範囲とその均等物によって規定される。
【手続補正４】
【補正対象書類名】特許請求の範囲
【補正対象項目名】全文
【補正方法】変更
【補正の内容】
【特許請求の範囲】
【請求項１】
多次元ルックアップ・テーブルに基づいた色変換のためにループ色補正を実行するステップを含むことを特徴とする、多次元テーブルに基づく閉ループ色補正の方法であって、
前記色変換は、多次元ルックアップ・テーブルを用いて、入力ポイントのセットと出力ポイントのセットとの間で写像関係を確立し、
多次元ルックアップ・テーブルは、
【数１】
2016507926.tif 000002
によって表され、
Ｉｎは、前記多次元テーブルの前記入力を表し、前記マトリックスの各々の行は、入力ポイントを表し、
各々の列は、入力ポイントの色チャネルを表し、
ｎは、入力ポイントの色チャネルの数を表し、前記多次元テーブルがｎ次元ルックアップ・テーブルであることを示し、
ｍは、入力ポイントの数を表し、前記ルックアップ・テーブルにおけるノードの数を示し、
Ｉｎｐｉｊは、第ｉ番目の色チャネルの第ｊ番目の入力ポイントの値を表し、Ｏｕｔは、多次元テーブルの出力を表し、
前記マトリックスの各々の行は、出力ポイントを表し、各々の列は、出力ポイントの色チャネルを表し、
第ｊ番目の行は、Ｉｎの第ｊ番目の行によって表された入力ポイントに対応する出力値を表し、
ｔは、出力ポイントの色チャネルの数を表し、
ＯｕｔＰｉｊは、第ｉチャネルの上の第ｊ番目の入力色ポイントに対応する出力の値を表す、方法。
【請求項２】
多次元ルックアップ・テーブルに基づいた色変換のためにループ色補正を実行する前記ステップが、
ステップ１：色目標パターンを形成するために、サンプル・ポイントを抽出する、
該目標パターンの上の該サンプル・ポイントは、データ収集および計算のために使用される、
ステップ２：入力として、ステップ１の前記色目標パターンおける色値を使用し、目標色彩データとして、目標特性ルックアップ・テーブルからデバイス非依存出力データを読み出し、
ここで、該目標色彩データは、国際照明委員会により規定されたＬ＊ａ＊ｂ＊値を使用する、
ステップ３：ステップ１で生成された前記色目標パターンを印刷し、次に、測定データを得るために、測定器具を用いて前記色目標パターンにおける色ブロックを測定し、
ここで、該測定データは、各々の色ブロックのＬ＊ａ＊ｂ＊値である、
ステップ４：前記測定データと前記目標データとの間での色差の程度を計算し、該色差にしたがって目標データを補正する、
ステップ５：色変換テーブルを再生成する、
１）目標特性ルックアップ・テーブルを再生成：ステップ１の前記色目標パターンおよび、ステップ４の対応する補正データの色値を使用して、目標特性ルックアップ・テーブルを再生成し、前記特徴ルックアップ・テーブルは、また、多次元テーブルであり、双方向マッピング・ルックアップ・テーブルである、
２）色変換テーブルを再生成：前記入力マトリクスＩｎのポイントは、前記デバイス特徴ルックアップ・テーブルを使用して変換され、対応する出力マトリクスＯｕｔのポイントは、前記目標特性ルックアップ・テーブルを使用して読み出され、前記色変換テーブルが再生成される、
ステップ６：閉ループ補正ステップ３−５が、前記色変換テーブルでの閉ループ補正を実行するために、平均色収差において、前記色収差が所定値より小さくなるまで、または、リバウンドの発生まで、繰り返される、
を含むことを特徴とする、請求項１に記載の、多次元テーブルに基づく閉ループ色補正の方法。
【請求項３】
ステップ１において、前記色目標パターンは、入力ポイントのセットのシリーズの色ブロックから成り、
前記色ブロックは、各々の色の異なるスクリーン・ドット・パーセンテージの組合せを表し、前記色目標パターンにおける色ブロックの色は、
【数２】
2016507926.tif 000003
によって表され、
ＰＣは、前記色ブロックの色のセットを表し、
前記マトリックスの各々の行は、前記色目標パターンにおける色ブロックを表しており、
各々の列は、入力ポイントの色チャネルを表し、
ｓは、前記色目標パターンにおける色ブロックの数を表し、
ＰｃＰｉｊは、第ｉ色チャネルの上の第ｊ色ブロックのスクリーン・ドット・パーセンテージを表し、
各々の色チャネルは、同一または異なるスクリーン・ドット・パーセンテージＰｃＰｉｊ∈［０，１００％］を有する、
ことを特徴とする、請求項２に記載の、多次元テーブルに基づく閉ループ色補正の方法。
【請求項４】
ステップ２において、前記目標データは、
【数３】
2016507926.tif 000004
のドット・マトリックスにおいて表され、
Ｌ＊ｃｔｉ、ａ＊ｃｔｉ、ｂ＊ｃｔｉは、前記色目標パターンにおける第ｉ色ブロックの目標Ｌ＊、ａ＊、ｂ＊データを表し、
補正データは、
【数４】
2016507926.tif 000005
の行列において表され、
Ｌ＊ｍｄｉ、ａ＊ｍｄｉ、ｂ＊ｍｄｉは、前記色目標パターンにおける第ｉ色ブロックの補正されたＬ＊、ａ＊、ｂ＊データを表し、
前記補正の前に、前記目標値が、補正データの初期値として使用され、
【数５】
2016507926.tif 000006
の関係を満たす、
ことを特徴とする、請求項２に記載の、多次元テーブルに基づく閉ループ色補正の方法。
【請求項５】
ステップ３において、前記測定データは、
【数６】
2016507926.tif 000007
の行列で表され、
Ｌ＊ｃｍｉ、ａ＊ｃｍｉ、ｂ＊ｃｍｉは、前記色目標パターンの第ｉ色ブロックの測定されたＬ＊、ａ＊、ｂ＊データを表す、
ことを特徴とする、請求項２に記載の、多次元テーブルに基づく閉ループ色補正の方法。
【請求項６】
ステップ４において、前記測定データと前記目標データとの間での色差の程度を計算するための方程式は、
【数７】
2016507926.tif 000008
方程式１であり、
Ｌ＊１、ａ＊１、ｂ＊１は、比較される第１の色の色彩値を表し、
Ｌ＊２、ａ＊２、ｂ＊２は、比較される別の色の色彩値を表し、色収差の値にしたがって、
【数８】
2016507926.tif 000009
補正方程式が、前記目標データを補正するのに用いられ、
ＭＤＩＬ、ＭＤＩａ、ＭＤＩｂは、それぞれ、色Ｌ＊、ａ＊、ｂ＊に対する補正係数である、
ことを特徴とする、請求項２に記載の、多次元テーブルに基づく閉ループ色補正の方法。
【請求項７】
ステップ６において、前記補正の間に、目標色との一貫性を保つために、リバウンドした色収差を有しているポイントは、補正されない、即ち、前記補正値は、
【数９】
2016507926.tif 000010
方程式３を使用して計算される、
ことを特徴とする、請求項２に記載の、多次元テーブルに基づく閉ループ色補正の方法。
【請求項８】
多次元ルックアップ・テーブルに基づいた色変換のためにループ色補正を実行するモジュールを備える多次元テーブルに基づく閉ループ色補正のシステムであって、
前記色変換は、多次元ルックアップ・テーブルを用いて、入力ポイントのセットと出力ポイントのセットとの間で写像関係を確立し、
多次元ルックアップ・テーブルは、
【数１０】
2016507926.tif 000011
によって表され、
Ｉｎは、前記多次元テーブルの前記入力を表し、
前記マトリックスの各々の行は、入力ポイントを表し、
各々の列は、入力ポイントの色チャネルを表し、
ｎは、入力ポイントの色チャネルの数を表し、
前記多次元テーブルがｎ次元ルックアップ・テーブルであることを示し、
ｍは、入力ポイントの数を表し、前記ルックアップ・テーブルにおけるノードの数を示し、
Ｉｎｐｉｊは、第ｉ番目の色チャネルの第ｊ番目の入力ポイントの値を表し、
Ｏｕｔは、多次元テーブルの出力を表し、
前記マトリックスの各々の行は、出力ポイントを表し、
各々の列は、出力ポイントの色チャネルを表し、
第ｊ番目の行は、Ｉｎの第ｊ番目の行によって表された入力ポイントに対応する出力値を表し、
ｔは、出力ポイントの色チャネルの数を表し、
ＯｕｔＰｉｊは、第ｉチャネルの上の第ｊ番目の入力色ポイントに対応する出力の値を表す、システム。
【請求項９】
多次元ルックアップ・テーブルに基づいた色変換のためにループ色補正を実行するための前記モジュールは、色目標パターンを形成するために、サンプル・ポイントを抽出するための色目標パターン生成装置であって、
該目標パターンの上の該サンプル・ポイントは、データ収集と計算のために使用される、色目標パターン生成装置と、入力としてステップ１の前記色目標パターンにおける色値を使用して、目標色彩データとして、目標特性ルックアップ・テーブルからデバイス非依存出力データを読み出すための目標色彩データ収集ユニットであって、
該目標色彩データは、国際照明委員会により規定されたＬ＊ａ＊ｂ＊値を使用する、目標色彩データ収集ユニットと、
ステップ１で生成された色目標パターンを印刷し、次に、測定データを得るために、測定器具を用いて前記色目標パターンにおける色ブロックを測定するための測定データ収集装置であって、該測定データは、各々の色ブロックのＬ＊ａ＊ｂ＊値である、測定データ収集装置と、
前記測定データと前記目標データとの間での色差の程度を計算し、該色差にしたがって目標データを補正するための初期補正ユニットと、
１）目標特性ルックアップ・テーブルを再生成することであって、前記目標パターンの上の色値および対応する補正データを使用して、目標特性ルックアップ・テーブルが、再生成され、前記特性ルックアップ・テーブルは、また、多次元テーブルであり、双方向マッピング・ルックアップ・テーブルである、こと、
２）色変換テーブルを再生成することであって、前記入力マトリクスＩｎのポイントは、前記デバイス特性ルックアップ・テーブルを使用して変換され、対応する出力マトリクスＯｕｔのポイントは、前記目標特性ルックアップ・テーブルを使用して読み出され、前記色変換テーブルが再生成される、こと、
のための色変換テーブル再生成ユニットと、
平均色収差において、前記色収差が所定値より小さくなるまで、あるいは、リバウンドの発生まで、前記色変換テーブルでの閉ループ補正を実行するための閉ループ補正ユニットと、
を備える、ことを特徴とする、請求項８に記載の、多次元テーブルに基づく閉ループ色補正のシステム。
【請求項１０】
前記色目標パターンは、入力ポイントのセットのシリーズの色ブロックから成り、前記色ブロックは、各々の色の異なるスクリーン・ドット・パーセンテージの組合せを表し、前記色目標パターンにおける前記色ブロックの色は、
【数１１】
2016507926.tif 000012
のように表され、
ＰＣは、前記色ブロックの色のセットを表し、
前記マトリックスの各々の行は、前記色目標パターンにおける色ブロックを表しており、
各々の列は、入力ポイントの色チャネルを表し、
ｓは、前記色目標パターンにおける色ブロックの数を表し、
ＰｃＰｉｊは、第ｉ色チャネルの上の第ｊ色ブロックのスクリーン・ドット・パーセンテージを表し、
各々の色チャネルは、同一または異なるスクリーン・ドット・パーセンテージＰｃＰｉｊ∈［０，１００％］を有し、
前記目標データは、
【数１２】
2016507926.tif 000013
のドット・マトリックスにおいて表され、
Ｌ＊ｃｔｉ、ａ＊ｃｔｉ、ｂ＊ｃｔｉは、前記色目標パターンにおける第ｉ色ブロックの目標Ｌ＊ａ＊ｂ＊データを表し、
補正データは、
【数１３】
2016507926.tif 000014
の行列において表され、
Ｌ＊ｍｄｉ、ａ＊ｍｄｉ、ｂ＊ｍｄｉは、前記色目標パターンにおける第ｉ色ブロックの補正されたＬ＊ａ＊ｂ＊データを表し、前記補正の前に、前記目標値が、補正データの初期値として使用され、
【数１４】
2016507926.tif 000015
の関係を満たし、
前記測定データは、
【数１５】
2016507926.tif 000016
の行列で表され、
Ｌ＊ｃｍｉ、ａ＊ｃｍｉ、ｂ＊ｃｍｉは、前記色目標パターンにおける第ｉ色ブロックの測定されたＬ＊ａ＊ｂ＊データを表し、
前記測定データと前記目標データとの間での色差の程度を計算するための方程式は、
【数１６】
2016507926.tif 000017
方程式１であり、
Ｌ＊１、ａ＊１、ｂ＊１は、比較される第１の色の色彩値を表し、
Ｌ＊２、ａ＊２、ｂ＊２は、比較される別の色の色彩値を表し、
色収差の値にしたがって、
【数１７】
2016507926.tif 000018
補正方程式が、前記目標データを補正するのに用いられ、
ＭＤＩＬ、ＭＤＩａ、ＭＤＩｂは、それぞれ、色Ｌ＊、ａ＊、ｂ＊に対する補正係数であり、
前記補正の間に、目標色との一貫性を保つために、リバウンドした色収差を有しているポイントは、補正されない、即ち、前記補正値は、
【数１８】
2016507926.tif 000019
方程式３を使用して計算される、
ことを特徴とする、請求項９に記載の、多次元テーブルに基づく閉ループ色補正のシステム。